(57)【要約】【課題】原稿を搬送しながら画像を読取る流し読みが可能な画像読取装置において、原稿のコシの強さの違いにより、原稿の先端と中央部と後端で輝度差ができてしまうという問題があった。【解決手段】原稿の読取りを行う際に原稿のコシを検出して、原稿の位置とそのコシの強さに応じて光源からの光量を調整することにより、原稿を読取って生成される画像信号の輝度差を緩和する。【選択図】  図６
2018078424.tif 000002
【特許請求の範囲】
【請求項１】
原稿を搬送する搬送手段と、
光源から前記原稿に照射される光を受光する受光手段と、
前記搬送手段により搬送される原稿を予め定められた読取位置で読取る際に、前記読取位置における前記原稿の撓み量に基づいて前記受光手段が受光する光量又は前記受光手段の出力レベルの少なくとも一方を制御する制御手段とを有することを特徴とする画像読取装置。
【請求項２】
前記搬送手段によって搬送される原稿の前記読取位置における撓み量を判定する判定手段をさらに備え、
前記制御手段は、前記判定手段により判定された前記原稿の撓み量に基づいて前記受光手段が受光する光量を制御することを特徴とする請求項１に記載の画像読取装置。
【請求項３】
前記搬送手段によって搬送される原稿のコシを検出する検出手段をさらに備え、
前記判定手段は、前記検出手段によって検出される前記原稿のコシに基づいて前記読取位置における撓み量を判定し、
前記制御手段は、前記搬送手段によって搬送される原稿の位置と、前記判定手段によって判定される前記撓み量に基づいて前記受光手段が受光する光量を制御することを特徴とする請求項２に記載の画像読取装置。
【請求項４】
前記制御手段は、前記原稿の位置と前記撓み量に基づいて前記受光手段が受光する光量を変更するように制御することを特徴とする請求項３に記載の画像読取装置。
【請求項５】
前記受光手段により受光した光を光電変換して画像信号を生成する生成手段を有する画像読取手段をさらに有し、
前記制御手段は、前記画像読取手段が前記読取位置で前記原稿の画像を読取る際に、前記判定手段によって判定される前記撓み量に基づいて前記生成手段に画像信号を生成するように制御することを特徴とする請求項４に記載の画像読取装置。
【請求項６】
前記制御手段は、前記読取位置において、前記受光手段が受光する光量が、前記搬送手段による原稿の搬送方向に関して、前記原稿の先端と中央部と後端とで異なるように制御することを特徴とする請求項５に記載の画像読取装置。
【請求項７】
前記原稿へ光を照射する光源をさらに有し、
前記制御手段は、前記読取位置において、前記搬送手段による原稿の搬送方向に関して、前記光源から照射される光量が、前記原稿の先端と中央部と後端とで異なるように前記光源を制御することを特徴とする請求項５又は６に記載の画像読取装置。
【請求項８】
前記制御手段は、前記原稿のコシが強い場合における前記原稿の先端における反射光の輝度と前記原稿の後端における反射光の輝度との輝度差が、前記原稿のコシが弱い場合における前記原稿の先端における反射光の輝度と前記原稿の後端における反射光の輝度との輝度差より大きくなるように前記光源の光量を制御することを特徴とする請求項７に記載の画像読取装置。
【請求項９】
前記画像読取手段により得られた画像データに画像処理を施す画像処理手段をさらに有し、
前記制御手段は、前記原稿が読取られた前記原稿の位置に基づいて前記画像データが表わす輝度を、前記原稿の先端では明るく、前記原稿の後端では暗くするよう調整するように前記画像処理手段を制御することを特徴とする請求項５乃至８のいずれか１項に記載の画像読取装置。
【請求項１０】
前記検出手段は、
前記原稿の静電容量を検出するセンサと、
前記センサにより検出された静電容量に基づいて、前記原稿の厚さを算出する算出手段とを含み、
前記原稿の厚さに基づいて前記原稿のコシを推定することを特徴とする請求項３乃至７のいずれか１項に記載の画像読取装置。
【請求項１１】
前記検出手段は、
前記搬送手段により前記原稿が搬送される搬送路の開放と閉鎖を行うシャッターと、
前記シャッターにより前記搬送路が閉鎖された状態で、前記原稿が前記搬送手段による搬送で前記シャッターに突き当たった際にかかる力を検出するストレインゲージとを含み、
前記ストレインゲージにより検出された力に基づいて前記原稿のコシを推定することを特徴とする請求項３乃至７のいずれか１項に記載の画像読取装置。
【請求項１２】
原稿を搬送する搬送工程と、
光源から前記原稿に照射される光を受光する受光工程と、
前記搬送工程において搬送される原稿を予め定められた読取位置で読取る際に、前記読取位置における前記原稿の撓み量に基づいて前記受光工程において受光する光量又は前記受光工程における出力レベルの少なくとも一方を制御する制御工程とを有することを特徴とする画像読取方法。
【発明の詳細な説明】
【技術分野】
【０００１】
本発明は画像読取装置及びその画像読取方法に関し、特に、例えば、原稿の画像を光学的に読取る画像読取装置及びその画像読取方法に関する。
【背景技術】
【０００２】
シート状の記録媒体に画像を形成する複写機、プリンタ等の画像形成装置には、原稿を読取る画像読取装置を備え、その画像読取装置が読取った画像を記録媒体に複写するようになっているものがある。このような画像読取装置は通常、２つの読取方式、即ち、「固定読み」と「流し読み」を採用しており、ユーザが選択した方式に従って原稿の画像を読取るようになっている。
【０００３】
「固定読み」は、シート状或いは冊子状の原稿をガラスなどの透明状の原稿台に載置して固定した状態で、画像読取装置内に備えられた読取センサを一定方向に移動しながらて原稿の画像を読取る読取方式である。「流し読み」は、原稿給送装置のトレイにユーザが載置した原稿を、原稿給送装置が画像読取装置の読取位置に一枚ずつ給送し、読取位置に停止している読取センサの上にある原稿台の上を通過させ、その原稿の画像を読取る読取方式である。
【０００４】
「固定読み」の場合は、原稿台に押圧した状態で原稿の画像を読取るので、画像を鮮明に読み取ることができる。また、「流し読み」の場合も、原稿給送装置から給送された原稿が読取位置を通過するとき、原稿が原稿台に密着した状態あるいは一定の距離開けた状態で通過するようにして、やはり、画像を鮮明に読み取ることができる。しかし、「流し読み」の場合、給送される原稿が原稿台から離れ過ぎると、画像を鮮明に読み取ることができない。このため、画像読取装置には、原稿と読取センサとの距離を一定に保つ対策が講じられている（特許文献１参照）。
【先行技術文献】
【特許文献】
【０００５】
【特許文献１】特開２００１−１２７９４９号公報
【発明の概要】
【発明が解決しようとする課題】
【０００６】
さて、特許文献１が提案する技術では、原稿と読取センサとの距離を一定に保つため、原稿の浮き上がりを防止する原稿押圧部材を備え、その原稿押圧部材の位置から原稿の給送方向に関し下流側では、原稿が読取センサから徐々に離れるように構成されている。このため、給送されてきた原稿が、原稿押圧部材から原稿の給送方向の下流側では、読取センサから離れるように浮き上がる場合がある。この場合、原稿のコシの強さによって、読取位置における原稿の撓み量が異なるため、コシの強さによって原稿の浮き上がり量が異なる場合がある。この結果、画像読取の精度にばらつきが生じ、高品位な画像読取ができないことがあった。
【０００７】
本発明は上記従来例に鑑みてなされたもので、良好な画像読取を実現することが可能な画像読取装置及びその画像読取方法を提供することを目的としている。
【課題を解決するための手段】
【０００８】
上記目的を達成するために本発明の画像読取装置は次のような構成からなる。
【０００９】
即ち、原稿を搬送する搬送手段と、光源から前記原稿に照射される光を受光する受光手段と、前記搬送手段により搬送される原稿を予め定められた読取位置で読取る際に、前記読取位置における前記原稿の撓み量に基づいて前記受光手段が受光する光量又は前記受光手段の出力レベルの少なくとも一方を制御する制御手段とを有することを特徴とする。
【発明の効果】
【００１０】
従って本発明によれば、良好な画像読取を行うことができるという効果がある。
【図面の簡単な説明】
【００１１】
【図１】本発明の代表的な実施例である光学的に原稿の画像を読取る画像読取装置の構成を示す側断面図である。
【図２】図１に示す画像読取装置の制御構成を示すブロック図である。
【図３】「流し読み」において原稿が読取位置を通過する際の形状の変化を示す側面図である。
【図４】「流し読み」において原稿の後端が読取位置を通過する際の形状の変化が、原稿の厚さによって異なる様子を示す側面図である。
【図５】原稿の先端と後端における輝度差と、原稿の厚さに従う輝度差について示した図である。
【図６】、
【図７】光量制御の処理を示すフローチャートである。
【図８】他の実施例に従う画像読取装置の構成を示す側断面図である。
【発明を実施するための形態】
【００１２】
以下添付図面を参照して本発明の好適な実施例について、さらに具体的かつ詳細に説明する。
【００１３】
なお、この明細書において、「シート」とは、一般的な画像読取装置で用いられる画像の原稿用紙や印画紙のみならず、広く、布、プラスチック・フィルム（ＯＨＰ）、金属板、木材、皮革等、搬送の可能な媒体を含むものである。
【００１４】
＜画像読取装置の概要（図１〜図２）＞
図１は本発明の代表的な実施例である光学的にシート状の原稿の画像を読取る画像読取装置の概略構成を示す側断面図である。
【００１５】
画像読取装置１００は、図１に示されるように、原稿Ｓを載置する載置台１とユーザから操作パネル（不図示）を介した指示に従って載置台１に載置された原稿Ｓを給送する自動原稿給送部（ＡＤＦ）５と画像を読取る画像読取部４を備える。
【００１６】
ユーザが「流し読み」を読取方式として指定した場合、載置台１に載置された原稿Ｓを制御部（後述）により制御された自動原稿給送部（ＡＤＦ）５によって自動的に給送し、画像読取部４上を通過させることで原稿Ｓの画像読取りを行う。画像の読取りを行う際、画像読取部４は光源制御部（後述）によって制御された光量で光源４―ａを点灯させて原稿Ｓを照射し、原稿Ｓからの反射光をセルフォック（登録商標）レンズ４−ｃで受光し、その受光光を光電変換して画像信号を生成する。
【００１７】
ＡＤＦ５は載置台１に載置された原稿Ｓをピックアップローラ５−ａにより一枚ずつピックアップし、搬送ローラ５−ｂによりさらに装置内部へと原稿Ｓを取り込み、レジローラ５−ｃを通過し、さらにリードローラ５−ｄにより搬送される。そして、原稿の搬送方向に関しリードローラ５−ｄの下流側に設けられたセンサ３により原稿Ｓの先端を検出する。その後、原稿Ｓの先端は、「流し読み」の際の画像読取部となる流し読みガラス６に達する。また、原稿Ｓの搬送方向に関し搬送ローラ５−ｂの下流側にセンサ２が設けられ、センサ２により原稿Ｓの厚さを検出する。この実施例におけるセンサ２は静電容量センサであり、原稿の静電容量を検出することで原稿Ｓの厚さを推定できる。
【００１８】
原稿Ｓは搬送されながら、流し読みガラス６の直下に移動し、そこで固定された画像読取部４により原稿Ｓの画像は読取られる。原稿Ｓはさらにリードローラ５−ｅにより搬送されることで排出ローラ７に達し、排出トレイ８へと排出される。なお、原稿Ｓは、流し読みガラス６の上方に設けられたプラテンローラ５−ｆによって流し読みガラス６からの高さ方向の移動を規制されながら、リードローラ５−ｄ、５−ｅによって搬送され、読取部４によって画像が読み取られる。
【００１９】
なお、ユーザが「固定読み」を読取方式として指定した場合、原稿台ガラス１０に載置された原稿Ｓの画像を、画像読取部４がガイドレール９に沿って矢印Ｆの方向に移動しながら読取る。
【００２０】
図２は画像読取装置１００の制御構成を示すブロック図である。
【００２１】
図２に示すように、画像読取装置１００は、装置全体の動作を制御し、また、画像読取動作の制御や画像処理を実行する制御部１１０と、図１に示したような構成の機構部１２０とからなる。制御部１１０は、画像処理部１１、読取制御部１２、光源制御部１３、原稿コシ算出部１４、光量算出部１５、原稿搬送制御部１６を含むが、これらはＣＰＵが制御プログラムを実行することにより実現されても良いし、ＡＳＩＣによって実現されても良い。いずれに構成にしても、制御部１１０は少なくともＣＰＵと制御プログラムを格納するＲＯＭ、制御プログラムを実行するために用いられるＲＡＭを含む。
【００２２】
さて、画像読取を行うとき、光源制御部１３は画像読取部４の光源４−ａの点灯を制御する。例えば、「流し読み」により画像読取を行うとき、原稿搬送制御部１６の制御によりＡＤＦ５を駆動し、原稿Ｓを装置内に取り込むとセンサ３が原稿Ｓの先端を検出し、検出信号を出力する。原稿搬送制御部１６はその検出信号を受信し、これを光源制御部１３に転送する。光源制御部１３はこの検出信号に応じて光源４−ａを点灯し、搬送されてきた原稿Ｓを照射する。この照射光は原稿Ｓで反射され、その反射光はセルフォック（登録商標）レンズ４−ｃを介してイメージセンサ４−ｂに導かれる。
【００２３】
一方、読取制御部１２に制御されたイメージセンサ４−ｂは、受光した光を光電変換して画像信号を生成し、これを読取制御部１２に転送する。読取制御部１２は輝度情報を含む画像信号を画像処理部１１に出力すると、画像処理部１１ではこの画像情報にシェーディング補正を施して画像データを生成する。
【００２４】
また、ＡＤＦ５により原稿Ｓを装置内に取り込むとき、センサ２により検出された原稿Ｓの厚さを示す情報は、原稿コシ算出部１４に転送され、原稿コシ算出部１４において原稿Ｓの厚さを示す情報に基づいて、原稿のコシを算出する。算出された原稿のコシを示す情報は光量算出部１５に出力される。光量算出部１５は、算出された原稿のコシを示す情報に基づいて、光源４−ａにおいて照射される光量を算出する。光源制御部１３では、算出された光量に基づいて光源４−ａからの照射光量を制御する。
【００２５】
さて、原稿の厚さは厚ければ厚いほど湾曲しづらくなり、たとえ、屈曲する場合にも元の状態に戻る反発力が大きい。このような原稿を「コシ」が強いという。これに対して、原稿の厚さが薄いほど湾曲しやすく、屈曲すると元の状態に戻る反発力が小さい。このような原稿を「コシ」が弱いという。このように、原稿の「コシ」の強弱は原稿の厚さと相関がある。従って、この実施例では、センサ２により検出された厚さの情報に基づいて「コシ」の強弱を数値的に算出するのである。この「コシ」によって、読取位置における原稿の撓み量が異なるため、「コシ」が強いと読取位置において原稿が撓みにくく、「コシ」が弱いと読取位置において原稿が撓みやすくなる。
【００２６】
次に、以上の構成の画像読取装置１００において実行される光源の光量制御について説明する。
【００２７】
図３は「流し読み」において原稿が読取位置を通過する際の形状の変化を示す側面図である。ここでは、プラテンローラ５−ｆの記載は省略している。図３の（ａ）〜（ｃ）から分かるようにセルフォック（登録商標）レンズ４−ｃの光軸に対して光源４−ａからの照射される光の光路が斜めになるように、光源４−ａは取り付けられている。
【００２８】
図３（ａ）は原稿Ｓの先端が読取位置である流し読みガラス６の直上を通過する場合の原稿Ｓの形状を示している。図３（ａ）に示されるように、原稿Ｓは屈曲し破線で示すセルフォック（登録商標）レンズ４−ｃの光軸に対して傾き、光源４−ａから照射された光はその光軸上で破線の矢のように反射される。このため、セルフォック（登録商標）レンズ４−ｃに導かれる反射光は減少する。
【００２９】
図３（ｂ）は原稿Ｓの中央部が読取位置である流し読みガラス６の直上を通過する場合の原稿Ｓの形状を示している。図３（ｂ）に示されるように、原稿Ｓは屈曲状態から解放され破線で示すセルフォック（登録商標）レンズ４−ｃの光軸に対してほぼ直角になり、光源４−ａから照射された光はその光軸上で破線の矢のように反射される。このため、セルフォック（登録商標）レンズ４−ｃに導かれる反射光は、図３（ａ）の場合と比較して増加する。
【００３０】
図３（ｃ）は原稿Ｓの後端が読取位置である流し読みガラス６の直上を通過する場合の原稿Ｓの形状を示している。図３（ｃ）に示されるように、原稿Ｓは屈曲し破線で示すセルフォック（登録商標）レンズ４−ｃの光軸に対して図３（ａ）に示す場合とは反対方向に傾き、光源４−ａから照射された光はその光軸上で破線の矢のように反射される。このため、セルフォック（登録商標）レンズ４−ｃに導かれる反射光は図３（ｂ）に示す場合と比べてさらに増大する。
【００３１】
従って、セルフォック（登録商標）レンズ４−ｃに導かれる反射光は、原稿Ｓの先端と中央部と後端では変化し、これに伴って、イメージセンサ４−ｂが生成する画像信号が表わす輝度も変化する。この輝度は、原稿の先端において中央部に比べて低く、原稿の後端において中央部に比べて高くなる。
【００３２】
図４は「流し読み」において原稿の後端が読取位置を通過する際の形状の変化が、原稿の厚さによって異なる様子を示す側面図である。
【００３３】
図４において、図４（ａ）は厚い原稿（コシの強い原稿）の後端が読取位置を通過する際の形状の変化を示し、図４（ｂ）は薄い原稿（コシの弱い原稿）の後端が読取位置を通過する際の形状の変化を示している。
【００３４】
図４（ａ）が示すように、コシが強い原稿Ｓの場合には原稿の屈曲が少ないため、原稿により反射されセルフォック（登録商標）レンズ４−ｃに導かれる反射光は増大する。これに対して、図４（ｂ）が示すように、コシが弱い原稿Ｓの場合には原稿の屈曲が大きいため、原稿により反射されセルフォック（登録商標）レンズ４−ｃに導かれる反射光は少なくなる。従って、光源４−ａからの光量が同じであると、コシが強い原稿からの反射光はコシが弱い原稿からの反射光より強くなる。つまり、コシが強い原稿から生成された画像信号の輝度はコシが弱い原稿から生成された画像信号の輝度よりも高くなる。
【００３５】
上記のようなことをまとめると、光源４−ａからの光量が同じであれば、同じ原稿の先端、中央部、後端で得られる画像信号の輝度には差が生じ、さらには原稿のコシの強弱によって画像信号の輝度には差が生じる。
【００３６】
図５は原稿の先端と後端における輝度差と、原稿の厚さに従う輝度差について示した図である。
【００３７】
図５（ａ）は、同じ光量で白紙の原稿を照射し、その原稿を読取って得られた画像の輝度（濃度）を表わしている。図５（ａ）が示すように、原稿の先端では暗くなり（低輝度（高濃度））、原稿の後端では明るくなる（高輝度（低濃度））。
【００３８】
また、図５（ｂ）は原稿の厚さと原稿の位置と、画像の輝度との関係を原稿の中央部との輝度差で示している。図５（ｂ）によれば、原稿の厚さに係りなく、原稿先端の画像は中央部の画像に比べて輝度が低く、原稿後端の画像は中央部の画像に比べて輝度が高くなる。また、原稿の後端と先端との輝度差は、原稿の厚さが厚いほど大きくなる。
【００３９】
この実施例では、以上のことに基づき、原稿の位置または、原稿のコシの強弱により発生し得る、受光光量から得られる画像信号の輝度差を少なくするように光源から照射される光の光量制御を行う。
【００４０】
図６〜図７は光量制御時の制御部１１０の処理を示すフローチャートである。
【００４１】
操作パネルからユーザが読取開始を指示すると、ステップＳ１では、ピックアップローラ５−ａが原稿Ｓをピックアップして給送を開始する。ステップＳ２ではセンサ２が原稿Ｓの静電容量を検出し、その値から原稿コシ算出部１４では原稿Ｓの厚さ（又は坪量）を推定する。この厚さ（又は坪量）が原稿のコシの強弱に対応しているのは上述の通りである。
【００４２】
次に、ステップＳ３では、光量算出部１５は、ステップＳ２でセンサ２によって検知された原稿のコシに合わせた光源４−ａの光量を算出する。例えば、図５（ｂ）に示したように、原稿のコシ（即ち、原稿の厚さ）により原稿の先端と後端ではその中央部と比較して、反射光の輝度が異なるので、中央部に対した相対量として先端と後端の光量を算出する。これは、図５（ｂ）に示したようなテーブルを参照して求めても良い。その間、原稿ＳはＡＤＦ５によって搬送され、センサ３を通過する。この時、原稿搬送制御部１６は、センサ３が原稿Ｓの先端を検出した検出信号を入力し、その検出信号を入力してから原稿が読取位置に達するまでの原稿の搬送量の情報を光源制御部１３に出力する。
【００４３】
そして、ステップＳ４では、光源制御部１３と読取制御部１２とは光源４−ａとイメージセンサ４−ｂをそれぞれ制御しながら、原稿Ｓが読取位置に達したタイミングでステップＳ３で算出された光量に基づいて原稿Ｓを照射し、その反射光を受光して、画像を読取る。
【００４４】
ここで、ステップＳ４における原稿読取のための光量をどのように制御するかについての詳細を図７に示したフローチャートを参照して説明する。
【００４５】
原稿Ｓの先端が画像読取部４の上方の読取位置まで搬送されたタイミングで読取りを開始する。
【００４６】
光源制御部１３は、ステップＳ４０１において、ステップＳ２で検出した原稿のコシが強いか、弱いか、或いは、普通であるのかを調べる。ここで、原稿のコシが弱いと判断されれば処理はステップＳ４０２へ、普通と判断されれば処理はステップＳ４０３へ、強いと判断されれば処理はステップＳ４０４へ進む。
【００４７】
そして、ステップＳ４０２では、通常点灯の＋３％の光量で光源４−ａを点灯させ、ステップＳ４０３では、通常点灯の＋７％の光量で光源４−ａを点灯させ、ステップＳ４０４では通常点灯の＋１０％の光量で光源４−ａを点灯させる。このようにして、原稿の先端で、原稿のコシに対応した光量で光源４−ａを点灯させる。なお、通常点灯とは、コシが普通の原稿の中央部に対する点灯をいう。
【００４８】
その後、ステップＳ４０５では、センサ３の検知結果に基づいて原稿Ｓの先端が読取位置に到達するかどうかを判定し、原稿Ｓの先端が読取位置に到達すると判定されれば処理はステップＳ４０６に進み、光源４−ａの点灯を通常点灯に戻す。
【００４９】
ステップＳ４０７では、原稿の搬送量に基づいて、原稿Ｓの後端が画像読取部４の上方の読取位置に到達するかどうかを判定する。そして、原稿Ｓの後端が読取位置に到達すると判定される場合、処理はステップＳ４０８に進み、そのタイミングで光源制御部１３は、ステップＳ２で検出した原稿のコシが強いか、弱いか、或いは、普通であるのかを再び調べる。ここで、原稿のコシが弱いと判断されれば処理はステップＳ４０９へ、普通と判断されれば処理はステップＳ４１０へ、強いと判断されれば処理はステップＳ４１１へ進む。
【００５０】
そして、ステップＳ４０９では、通常点灯の−５％の光量で光源４−ａを点灯させ、ステップＳ４１０では、通常点灯の−８％の光量で光源４−ａを点灯させ、ステップＳ４１１では通常点灯の−１３％の光量で光源４−ａを点灯させる。このようにして、原稿の後端で、原稿のコシに対応した光量で光源４−ａを点灯させる。原稿の後端が読取位置を通過すると、光源４−ａを消灯する。
【００５１】
その後、処理は図６のフローチャートに戻り、ステップＳ５において、次の読取原稿があるかどうかを調べ、読取原稿があると判断された場合、処理はステップＳ１に戻り、次の原稿を給送して読取りを続行する。これに対して、読取原稿がないと判断された場合、読取処理は終了する。
【００５２】
従って以上説明した実施例に従えば、原稿のコシの強さに合わせて原稿の先端と後端の光量を調整するので、原稿のコシや原稿の読取位置に係りなく、受光する反射光の輝度を同様にすることができる。これにより、むらのない高品位な画像読取を実現できる。
【００５３】
なお、以上説明した実施例では、原稿のコシを検出するために静電容量センサを用いたが本発明はこれによって限定されるものではなく、他の方法を用いて原稿のコシを検出しても良い。
【００５４】
図８は他の実施例に従う画像読取装置の概略構成を示す側断面図である。なお、図８において、既に図１を参照して説明したのと同じ構成要素には同じ参照番号を付し、その説明は省略する。図８によれば、センサ２の代わりに、原稿の搬送方向に関してレジローラ５−ｃの上流側にシャッター２０を設け、原稿の搬送路の開放と閉鎖を行なえるようにする。
【００５５】
そして、原稿搬送時は、図８に示すように、その搬送路をシャッター２０で閉鎖して原稿のループを形成し原稿Ｓの先端のレジをそろえる。その際に、搬送ローラ５−ｂはシャッター２０でせき止められた原稿Ｓを一定量、搬送し続ける。すると、シャッター２０に掛かる力は原稿Ｓのコシによって変化してくる。コシが強ければシャッター２０に掛かる力は強く、コシが弱ければシャッター２０に掛かる力も弱くなる。従って、シャッター２０の原稿突き当て位置にストレインゲージ等、力を検出するセンサを取り付けて、原稿のコシを検出する。
【００５６】
さらに、受光した反射光から得られる輝度差を緩和するために、光源４−ａの光量を調整するのではなく、画像処理部１１で画像読取により得られた画像データに次のような画像処理を施しても良い。即ち、画像処理部１１は、原稿搬送制御部１６から得られる原稿の位置情報に基づいて、画像の先端部に対応する画像データの輝度は明るくするよう、画像の後端部に対応する画像データの輝度は暗くするように補正して、画像の輝度差を緩和する。
【００５７】
また、光源４−ａの光量を調整するのではなく、イメージセンサ４−ｂ側の受光感度を調整することによって、原稿読み取り位置（先端部、中央部、後端部）における画像データの輝度差を緩和する構成であってもよい。これによっても、輝度むらのない高品位な画像読取を実現することができる。
【００５８】
また、上述した実施例では、原稿のコシの強さに合わせて原稿の先端と後端の光量を調整する構成としたが、原稿のコシに応じてのみ光量を調整する構成としてもよい。この場合、原稿のコシが弱い場合よりもコシが強い場合の方が、原稿の位置における画像データの輝度差が大きくなるため、原稿のコシが強い場合には弱い場合に対して光量を強くすることで、原稿の位置における輝度差を緩和することが可能となる。さらに、原稿のコシに応じて一律な光量となるように光源やイメージセンサ側を制御する場合、上述したような画像処理部による画像補正によって画像データを補正することによって、より原稿の位置における輝度差を緩和することができるようになる。その画像補正は、原稿のコシの強さに合わせて原稿の先端と後端とでシェーディング補正値やゲイン補正値を変更して画像データを出力することで原稿の位置における輝度値を変更することを含む。
【００５９】
また、上述した実施例では、センサ２によって原稿のコシを検出する構成としたが、センサの検出結果に限定せず、ユーザが操作パネル等を介して原稿の撓み量やコシなどを入力する構成であってもよい。
【００６０】
さらに、上述した実施例では、単機能の画像読取装置（スキャナ装置）を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。
【符号の説明】
【００６１】
１  原稿載置部、２〜３、センサ、４  画像読取部、４−ａ  光源、
４−ｂ  イメージセンサ、４−ｃ  セルフォック（登録商標）レンズ、
５  自動原稿給送部（ＡＤＦ）、５−ａ  ピックアップローラ、５−ｂ  搬送ローラ、
５−ｃ  レジローラ、５−ｄ〜５−ｅ  リードローラ、６  流し読みガラス、
７、排出ローラ、８  排出トレイ、９、ガイドレール、１０  原稿台ガラス、
１１  画像処理部、１２  読取制御部、１３  光源制御部、１４  原稿コシ算出部、
１５  光量算出部、１６  原稿搬送制御部、１００  画像読取装置
【図１】
2018078424.tif 000003
【図２】
2018078424.tif 000004
【図３】
2018078424.tif 000005
【図４】
2018078424.tif 000006
【図５】
2018078424.tif 000007
【図６】
2018078424.tif 000008
【図７】
2018078424.tif 000009
【図８】
2018078424.tif 000010